(57)【要約】【課題】除去すべきＮＯｘの総量が少ない場合に、少ないリバーンガス量で所望のＮＯｘ除去を可能するガラス溶解炉の新規な運転方法を提供する。【解決手段】蓄熱室１３の上部空間領域における、ガラス原料の供給上流側に位置するポート１１ａ，１１ｂに近接した領域にのみリバーンガスを噴射して、当該領域を通過する燃焼排気ガスを空気比１以下の還元状態としてＮＯｘの還元を行うと共に、下流煙道において、他のポート１１ｃ〜１１ｆに近接した領域を通過した未処理の燃焼排気ガス中の残存酸素により、混合後の燃焼排気ガス中に含まれる未燃分を酸化させる。【選択図】　図２
2004107139.tif 000002
【特許請求の範囲】
【請求項１】
ガラス原料の供給を受けてこれを溶解する溶解室と、その両側部に設けた複数個のポートから流入する燃焼排気ガスのもつ熱を回収し燃焼用空気を予熱する蓄熱室と、各ポートに設置されたバーナとを備え、ガラス溶融のための燃料の燃焼を対向するバーナの列ごとに交互に行うようにしたガラス溶解炉において、
前記蓄熱室の上部空間領域におけるガラス原料の供給上流側に位置するポートに近接した領域にのみリバーンガスを噴射して、当該領域を通過する燃焼排気ガスを空気比１以下の還元状態としてＮＯｘの還元を行うと共に、下流煙道において、他のポートに近接した領域を通過した未処理の燃焼排気ガス中の残存酸素により、混合後の燃焼排気ガス中に含まれる未燃分を酸化させることを特徴とするガラス溶解炉の運転方法。
【請求項２】
前記ガラス原料の供給上流側に位置するポートが、溶解室のガラス移動方向における上流側１／３〜１／２程度に位置するポートであることを特徴とする請求項１記載のガラス溶解炉の運転方法。
【請求項３】
リバーンガスの噴射を前記ポートに設置されたバーナから行うことを特徴とする請求項１又は２記載のガラス溶解炉の運転方法。
【請求項４】
リバーンガスの噴射を前記蓄熱室の上部空間に設置されたガスノズルから行うことを特徴とする請求項１又は２記載のガラス溶解炉の運転方法。
【請求項５】
当該蓄熱室の上部空間における前記ポートの配置位置よりも上位の空間にリバーンガスを前記ガスノズルから噴射することを特徴とする請求項４記載のガラス溶解炉の運転方法。
【請求項６】
前記下流煙道において、必要に応じて、燃焼排気ガスに酸化剤としての二次空気を供給することを特徴とする請求項１ないし５いずれか記載のガラス溶解炉の運転方法。
【発明の詳細な説明】
【０００１】
【発明の属する技術分野】
本発明はガラス溶解炉の運転方法、特に、バーナの燃焼に伴う燃焼排気ガスに含まれるＮＯｘを低減するようにした運転方法に関する。
【０００２】
【従来の技術】
ガラス原料の供給を受けてこれを溶解する溶解室と、その両側部に設けた複数個のポートを介して燃焼排気ガスのもつ熱を回収して燃焼用空気を予熱する蓄熱室と、各ポートに設置されたバーナとを備えており、ガラス溶融のための燃料の燃焼を対向するバーナの列ごとに交互に行うようにしたガラス溶解炉は知られている。
【０００３】
さらに、上記ガラス溶解炉でのバーナ燃焼に伴う燃焼排気ガスに含まれるＮＯｘを効率よく低減する方法として、溶解室を出た燃焼排気ガスに天然ガスなどをリバーンガスとして噴射して蓄熱室の上部空間を還元領域（リバーニングゾーン）とし、そこで燃焼排気ガス中のＮＯｘを還元除去すると共に、その下流において酸化剤としての二次空気を供給してＣＯなどの未燃物を完全燃焼させる方法も知られている。リバーンガスの噴射は、燃焼に関与していない側のポートに設置した全部又は１部のバーナノズルから、あるいは、蓄熱室の上部空間に別途設置されたガスノズルから行われる（特開平５５−２７８５９号公報、特開平６−２３９６１８号公報など）。
【０００４】
【発明が解決しようとする課題】
ガラス溶解室を出た燃焼排気ガスに対して上記のようにリバーニング燃焼法を適用することにより、燃焼排気ガス中に含まれるＮＯｘ量を許容できるレベル以下に低減することができ、自然環境の保全は担保される。しかし、ガラス溶解炉から排出される燃焼排気ガスは大量であること、及び、化学量論的に、ある雰囲気においてＮＯｘの還元が開始するには、所定値以上の還元剤（リバーンガス）濃度が必要であることから、リバーンガスの噴射を、燃焼に関与していない側の全部又は一部のポートに設置した各バーナから行う場合、あるいは、蓄熱室の上部空間に別途設置されたガスノズルから行う場合のいずれであっても、蓄熱室の上部空間全域を還元領域とするのに、多量のリバーンガスを必要とし、コスト的な課題を有している。
【０００５】
一方、ガラス溶解炉から大気に放出されるＮＯｘ量を抑制する対策として、前記のように燃焼排気ガスの全量に対してリバーニング燃焼法を適用する手法と共に、ガラス溶解炉内での燃料の燃焼方法そのものに改善を施すことも種々行われてきている。
【０００６】
ガラス溶解炉の排気ガス量は各種工業炉の中でも比較的多いため、ＮＯｘ排出量がわずかに規制値を上回るような場合で、規制値以下に下げるために数十ｐｐｍ削減したいような場合であっても、大量のリバーンガスが必要となり大変不経済となる。ＮＯｘ削減の方法として脱硝剤を用いる方法もあるが、この場合でも大量の脱硝剤が必要となる。
【０００７】
また、リバーニング燃焼法を採用した場合、燃焼排気ガスの全量を還元雰囲気とすることから、未燃分を燃焼させるための多量の二次空気を煙道下流域において供給することが必須となり、二次空気供給設備を必要とすることから、ガラス溶解炉の構成を複雑としている。
【０００８】
本発明は、上記の事情に鑑みてなされたものであり、リバーニング燃焼法を燃焼排気ガスに適用したガラス溶解炉の運転方法において、除去すべきＮＯｘの総量が少ない場合に、少ないリバーンガス量で所望のＮＯｘ除去を可能とし、それによりガラス溶解炉の運転コストを合理的に引き下げることを可能としたガラス溶解炉の新規な運転方法を提供することにある。
【０００９】
本発明の他の目的は、下流煙道において二次空気の供給を行わなくても、運転状態によっては、燃焼排気ガス中の未燃分を完全に燃焼させることができ、それにより、ガラス溶解炉の構成を簡素化できるガラス溶解炉の新規な運転方法を提供することにある。
【００１０】
【課題を解決するための手段】
本発明によるガラス溶解炉の運転方法は、ガラス原料の供給を受けてこれを溶解する溶解室と、その両側部に設けた複数個のポートから流入する燃焼排気ガスの持つ熱を回収し燃焼用空気を予熱する蓄熱室と、各ポートに設置されたバーナとを備えており、ガラス溶融のための燃料の燃焼を対向するバーナの列ごとに交互に行うようにしたガラス溶解炉において、前記蓄熱室の上部空間領域におけるガラス原料の供給上流側に位置するポートに近接した領域にのみリバーンガスを噴射して、当該領域を通過する燃焼排気ガスを空気比１以下の還元状態としてＮＯｘの還元を行うと共に、下流煙道において、他のポートに近接した領域を通過した未処理の燃焼排気ガス中の残存酸素により、混合後の燃焼排気ガス中に含まれる未燃分を酸化させることを特徴とする。
【００１１】
上記の方法では、ＮＯｘを含む燃焼排気ガスの全量を還元状態とするのではなく、蓄熱室の上部空間領域におけるガラス原料の供給上流側に位置するポートに近接した領域を通過する燃焼排気ガスのみが還元状態とされ、そこでのみＮＯｘの還元処理が進行する。ＮＯｘが還元除去された燃焼排気ガスと未処理の燃焼排気ガスは下流煙道で混合するが、混合後の燃焼排気ガスに含まれるＮＯｘ量は、当初と比較して、前記一部還元除去された量だけ減少する。当初の燃焼排気ガスに含まれるＮＯｘ総量がクリアーすべき基準値からわずかにしか超過していないようなガラス溶解炉の運転態様においては、上記の部分的除去でもって、基準値をクリアーすることが十分に可能となる。
【００１２】
特に、溶解室の両側部に複数個のポートと蓄熱室とを備えたガラス溶解炉において、運転中に複数個のポートに流入してくる燃焼排気ガス中に含まれるＮＯｘの分布は均一でなく、通常、ガラス原料供給上流側では下流側と比較して大きい。特に、溶解室内でのガラス移動方向における上流側１／３〜１／２程度の領域での燃焼排気ガスは多量のＮＯｘを含んでいる。運転態様によっては、下流域のポートに流入してくる燃焼排気ガス中に含まれるＮＯｘ量はクリアーすべき基準値を下回っている場合も生じている。
【００１３】
従って、本発明では、他と比較して高濃度のＮＯｘを含有している燃焼排気ガス、特に、溶解室のガラス移動方向における上流側１／３〜１／２程度の領域での燃焼排気ガスに対して、リバーンガスの噴射を行う。それにより、より少ない量のリバーンガスでもって効率的に部分的なＮＯｘ除去効果を達成することができる。
【００１４】
本発明の方法では、一部の領域を通過する燃焼排気ガスのみを還元状態とするだけであり、燃焼排ガスの全容積、すなわち、蓄熱室の上部空間の全領域を還元領域とする従来の方法と比較して、供給すべきリバーンガス量は大きく減少し、コストの低減が図れる。さらに、未処理の燃焼排気ガス中には通常１〜２％程度の酸素が残存しており、混合後の燃焼排気ガス中に含まれるＣＯなどの未燃物は、当該残存酸素により燃焼する。そのために、下流煙道に二次空気を供給する設備を設けることを省略することができ、設備が簡素化する。
【００１５】
前記リバーンガスの噴射は、前記ポートに設置されたバーナノズルのうち、燃焼に参加していない側のポートのバーナから行ってもよく、前記蓄熱室の上部空間に別途設置したガスノズルから行ってもよい。後者の場合、当該蓄熱室の上部空間における前記ポートの配置位置よりも上位の空間にリバーンガスを噴射するが好ましく、これにより、処理すべき燃焼排気ガスとリバーンガスとの混合が促進され、かつ、長い還元時間を確保できるので、一層高いＮＯｘ除去効果が得られる。
【００１６】
前記のように、本発明のガラス溶解炉の運転方法では、下流煙道に二次空気を供給する設備を配置することは必ずしも必要とされないが、運転環境によっては未処理の燃焼排気ガスに含まれる残存酸素量では未燃分の完全燃焼が進行しないことが起こり得る。そのために、予備的施設として下流煙道に燃焼排気ガスに空気を供給する設備を備えておき、必要に応じて、二次空気を供給することは好ましい運転態様となる。
【００１７】
以下、本発明の実施の形態につきより詳細に説明する。図１はサイドポート式ガラス溶解炉を説明する断面図であり、図２はその平面図である。ガラス溶解炉１は、ガラス原料２の供給を受けてこれを溶解する溶解室１０と、その両側部に設けた複数個（図示の例では各６個）のポート１１ａ〜１１ｆ及び１２ａ〜１２ｆとを備え、さらに、各ポート１１ａ〜１１ｆ及び１２ａ〜１２ｆを通って流入する燃焼排気ガスが持つ熱を回収し燃焼用空気を予熱する左右の蓄熱室１３及び１４を備える。前記各ポート１１ａ〜１１ｆ及び１２ａ〜１２ｆが溶解室１０接続いている位置近傍にはそれぞれにバーナ１５ａ〜１５ｆ及び１６ａ〜１６ｆが配置されている。また、前記溶解室１０の一方端にはガラス原料供給口１７が、他方端には溶解したガラスの取り出し口１８が設けてある。
【００１８】
蓄熱室１３及び１４は、上部空間１３ａ及び１４ａと、その下流に位置する熱回収部１３ｂ及び１４ｂと、その下流に位置する下部空間１３ｃ及び１４ｃとを備え、前記上部空間１３ａ及び１４ａには、前記６個のポート１１ａ〜１１ｆ及び１２ａ〜１２ｆがほぼ等しい間隔をおいて接続している。また、前記下部空間１３ｃ及び１４ｃには、一方端側に燃焼用空気の供給管路２０ａ及び２０ｂ、他方端側に燃焼排気ガスの排出管路２１ａ及び２１ｂが接続しており、これら管路にはそれぞれ切り替えダンパー２２及び２３が設けてあり、各管路が切り替えられるようになっている。
【００１９】
図３に示すように、バーナへの燃料供給系３０は、燃料ガス源（不図示）に接続した燃料供給管３１と、そこから２分した燃料供給分岐管３２ａ及び３２ｂとを備える。各燃料供給分岐管３２ａ及び３２ｂは、各バーナ１５ａ〜１５ｆ及び１６ａ〜１６ｆに接続する枝管３３ａ〜３３ｆ及び３４ａ〜３４ｆを備え、該枝管には切り替え弁３５ａ〜３５ｆ及び３６ａ〜３６ｆが配置される。
【００２０】
前記枝管３３ａ〜３３ｆ及び３４ａ〜３４ｆにおける上流側に位置する複数本（この例では、枝管３３ａ〜３３ｃ及び３４ａ〜３４ｃのそれぞれ３本）には、前記切り替え弁３５ａ〜３５ｃ及び３６ａ〜３６ｃに並列して、バイパス弁３７ａ〜３７ｃ及び３８ａ〜３８ｃが配置される。なお、バイパス弁３７ａ〜３７ｃ及び３８ａ〜３８ｃを流れる最大ガス流量は切り替え弁３５ａ〜３５ｆ及び３６ａ〜３６ｆを流れる最大ガス流量よりも少なくされている。
【００２１】
このガラス溶解炉１において、ガラス原料２はガラス原料供給口１７（上流側）からガラス溶解室１０内に供給され、そこで加熱溶解されて取り出し口１８（下流側）から排出される。運転に際して、前記バーナ１６ａ〜１６ｆの側から燃焼用燃料ガス（例えば、天然ガス）が供給される場合には、切り替え弁３６ａ〜３６ｆ及びバイパス弁３８ａ〜３８ｃのいずれか又は全部は開とされ、一方、バーナ１５ａ〜１５ｆ側の切り替え弁３５ａ〜３５ｃは閉とされる。しかし、３つのバイパス弁３７ａ〜３７ｃのいずれか又は全部は開とされる。このような開閉操作は図示しない制御機構により容易に行うことができる。
【００２２】
燃焼用空気は、供給管路３２ｂから蓄熱室１４の下部空間１４ｃに向けて吸引され、熱回収部１４ｂで加熱された後、上部空間１４ａから各ポート１２ａ〜１２ｆを通って溶解室１０に送られる。それにより、バーナ１６ａ〜１６ｆから供給される燃料ガスは燃焼して、ガラス溶解室１０内を加熱する。燃焼排気ガスは、他方側のポート１１ａ〜１１ｆから蓄熱室１３の上部空間１３ａ内に流入し熱回収部１３ｂを通過してそこを予熱した後、下部空間１３ｃから燃焼排気ガス排出管路２１ａを通って大気に放出される。その状態が一定時間継続するが、その間、排気側のポート１１ａ〜１１ｆのうち上流側の３つのポート１１ａ〜１１ｃに近接して配置されるバーナ１５ａ〜１５ｃのいずれか又は全部から、開いているバイパス弁３７ａ〜３７ｃを通して所要量の少量の燃料ガスがリバーンガスとして継続して供給される（図１及び図２の矢印はそのときの燃焼用空気及び燃焼排気ガスの流れ方向を示している）。
【００２３】
一定時間経過後に、切り替えダンパー２２，２３が切り替わり、同時に、バーナ１６ａ〜１６ｆ側の切り替え弁３６ａ〜３６ｆは閉じられ、他方のバーナ１６ａ〜１６ｆ側の切り替え弁３５ａ〜３５ｆが開かれる。その際に、双方のバイパス弁３７ａ〜３７ｃ及び３８ａ〜３８ｃの開閉状態は切り替え前の状態が維持される。それにより、燃料ガス及び燃焼用空気の方向は切り替わり、燃焼用空気は、供給管路２０ａから蓄熱室１３の下部空間１３ｃに向けて吸引され、熱回収部１３ｂで加熱された後、上部空間１３ａから各ポート１１ａ〜１１ｆを通って溶解室１０に送られる。それにより、バーナ１５ａ〜１５ｆから供給される燃料ガスは燃焼して、ガラス溶解室１０内の加熱は継続して行われる。
【００２４】
燃焼排気ガスは、他方のポート１２ａ〜１２ｆから蓄熱室１４の上部空間１４ａ内に流入し熱回収部１４ｂを通過してそこを予熱した後、下部空間１４ｃから燃焼排気ガス排出管路２１ｂを通過して大気に放出される。その間、排気側のポート１２ａ〜１２ｆのうち上流側の３つのポート１２ａ〜１２ｃに近接して配置されるバーナ１６ａ〜１６ｃのいずれか又は全部からは、開いているバイパス弁３８ａ〜３８ｃを通して所要量の少量の燃料ガスがリバーンガスとして継続して供給される。この切り替えが周期的に行われる。
【００２５】
上記の運転方法において、溶解室１０の加熱のためにバーナ１６ａ〜１６ｆが燃焼しているときに、燃焼排気ガスは反対側のポート１１ａ〜１１ｆから蓄熱室１３の上部空間１３ａに流入するが、前記のように、上流側に位置するポート（例えば、この例ではポート１１ａ〜１１ｃ）から流入する燃焼排気ガスに含まれるＮＯｘ量は、下流側に位置するポート（例えば、この例ではポート１１ｄ〜１１ｆ）から流入する燃焼排気ガスに含まれるＮＯｘ量よりも平均して多い。一例として、ある条件で運転したときの各ポートからの燃焼排気ガスに含まれるＮＯｘの量は表１のようになる。
【００２６】
【表１】
2004107139.tif 000003
【００２７】
そこで、例えば、クリアーすべきＮＯｘ値が６００ｐｐｍであるときに、いずれかのポートから流入してくる燃焼排気ガス中から１００ｐｐｍに相当するＮＯｘを還元除去できれば、ＮＯｘ値は燃焼排気ガス総量としてはクリアーすることとなる。今、６個のポートに設置された全てのバーナからリバーンガスを供給して蓄熱室１３の上部空間１３ａの全領域において燃焼排気ガスを還元状態とし１００ｐｐｍに相当するＮＯｘを還元除去しようとすると、リバーンガス（都市ガス）として約２４０ｍ３／ｈが必要となる。
【００２８】
しかし、例えば、バーナ１５ａ〜１５ｆ側の切り替え弁３５ａ〜３５ｆ及びバイパス弁３７ｃは閉とし、２つのバイパス弁３７ａ，３７ｂのみを開として、ポート１１ａとポート１１ｂの二つのポートに近接した蓄熱室１３の上部空間領域にのみリバーンガスを噴射し、そこを通過する燃焼排気ガスのみを還元状態としてＮＯｘの還元を行う場合には、同じ１００ｐｐｍに相当するＮＯｘを還元除去するのに８０ｍ３／ｈの都市ガスで十分であり、さらに、一個の１１ｂに近接した蓄熱室１３の上部空間領域にのみリバーンガスを噴射し、そこを通過する燃焼排気ガスのみを還元状態としてＮＯｘの還元を行う場合には、同じ１００ｐｐｍに相当するＮＯｘを還元除去するのに４０ｍ３／ｈの都市ガスで十分となる。なお、上記の数値は、下記の条件を前提とする一つの例であるが、本発明がこの例に限らず、ガラス溶解炉の一般的運転において等しく適用できることはいうまでもない。
【００２９】
条件：各ポートの燃焼排気ガス量　５０００Ｎｍ３／ｈ
酸素濃度　２％
排気ガス温度　１４００℃
滞留時間　５秒
【００３０】
上記のガラス燃焼炉において、前記のようにしてＮＯｘの除去された燃焼排気ガスと未処理の燃焼排気ガス（ポート１１ｃ〜１１ｆから流入する燃焼排気ガス）とは、互いに混合しながら、蓄熱室１３の上部空間１３ａから熱回収部１３ｂを通り下部空間１３ｃに至り、燃焼排気ガス排出管路２１ａを通って大気に放出される。その過程において、混合後の燃焼排気ガス中に含まれるＣＯなどの未燃分は、未処理の燃焼排気ガスに通常１〜２％含まれる残存酸素により燃焼する。なお、完全燃焼には残存酸素量が不足する場合あるいはより短時間で完全燃焼を終了させたい場合には、前記蓄熱室１３の下部空間１３ｃよりも下流の位置に、適宜の二次空気供給手段（不図示）が備えられる。また、上記の例では、バイパス弁を備えることにより、リバーンガスを燃焼用バーナから噴出するようにしているが、リバーンガス噴出用の専用のノズルを前記上流に位置するポート近傍に備えるようにしてもよい。特に、主燃料として重油を採用するガラス溶解炉においては、リバーンガス噴出用のノズルを別途備えるとは必須となる。
【００３１】
図４〜図６は、本発明によるガラス溶解炉の運転方法を実施することのできる他のガラス溶解炉の形態を示している。このガラス溶解炉１ａでは、リバーンガスの噴射を前記ポートに設置されたバーナから行うのではなく、各蓄熱室１３，１４の上部空間１３ａ，１４ａに設置されたガスノズル４１ａ〜４１ｃ及び４２ａ〜４２ｃから行うようにしている。なお、ガラス溶解炉１ａの構成及びバーナへの燃料供給系３０ａは、上記ガスノズル４１ａ〜４１ｃ及び４２ａ〜４２ｃの位置及びその燃料供給経路を除き、図１〜図３に示したものと同じであり、対応する部材には同じ符号を付すことにより、説明は省略する。
【００３２】
図４及び図５に示すように、このガラス溶解炉１０ａでは、蓄熱室１３，１４の上部空間１３ａ，１４ａにおける前記上流側のポート１１ａ〜１１ｃ及び１２ａ〜１２ｃに対向する側壁に、リバーンガス供給用のガスノズル４１ａ〜４１ｃ及び４２ａ〜４２ｃが配置されており、図６に示すように、燃料供給分岐管３２ａ及び３２ｂから分岐した枝管４３ａ〜４３ｃ及び４４ａ〜４４ｃからリバーンガスが供給される。
【００３３】
好ましくは、図４に示すように、このリバーンガス供給用のガスノズル４１ａ〜４１ｃ及び４２ａ〜４２ｃはノズル先端が斜め上方に向くようにして配置し、それにより、当該蓄熱室１３，１４の上部空間１３ａ，１４ａにおけるポートの配置位置よりも上位の空間にリバーンガスが噴射されるようにする。
【００３４】
このガラス溶解炉１ａの運転態様は、図１〜図３に示したガラス溶解炉１の運転態様と同じであり、説明は省略する。但し、図示の形態では、処理すべき燃焼排気ガスとリバーンガスとの混合が一層促進され、かつ、長い還元時間を確保できることから、一層高いＮＯｘ除去効果が得られる利点がある。図７は、それを説明している。図７は、本発明者らが実験を通して知見した、ガラス溶解炉１ａの最も上流側であるポート１１ａに近接した蓄熱室１３の上部空間１３ａ内での、ポート１１ａから流入する燃焼排気ガスの流れを流線としてプロットしてものである。なお、この燃焼排気ガスの蓄熱室１３の上部空間１３ａ内での流れパターンは、全てのポート、すなわち、ポート１１ａ〜１１ｆに近接した上部空間１３ａにおいてほぼ同じようなプロフィールであることも知見した。
【００３５】
図７からわかるように、ポートから流入する燃焼排気ガスは、蓄熱室の上部空間に入った後に、その全量が直ちに熱回収部に向けて流下するのではなく、その一部は蓄熱室の上部空間における前記ポートに対向する側壁に衝突して上昇し、渦を巻くようにして天井に沿って流れた後、熱回収部に向けて流下している。従って、図示のように、当該蓄熱室の上部空間における前記ポートの配置位置よりも上位の空間に、より好ましくは、前記ポートに対向する側壁壁面に沿って上昇する燃焼排気ガスの流れに乗るようにして、リバーンガスを前記ガスノズル４１ａから噴射することにより、前記したように、処理すべき燃焼排気ガスとリバーンガスとの混合が促進され、かつ、長い還元時間を確保することが可能となることがわかる。
【００３６】
【発明の効果】
上記のようであり、本発明によるガラス溶解炉の運転方法によれば、除去すべきＮＯｘの総量が少ない場合に、従来法による場合よりも少ないリバーンガス量で所望のＮＯｘ除去が可能となり、それによりガラス溶解炉の運転コストを合理的に引き下げることが可能となる。また、下流煙道において二次空気の供給を行わなくても、運転状態によっては、燃焼排気ガス中の未燃分を完全に燃焼させることができ、ガラス溶解炉の構成を簡素化することもできる。
【図面の簡単な説明】
【図１】本発明によるガラス溶解炉の運転方法を実施することのできるガラス溶解炉の一実施の形態を示す概略的断面図。
【図２】図１に示すガラス溶解炉を説明する概略的平面図。
【図３】図１に示すガラス溶解炉におけるバーナへの燃料供給系の一例を説明する概略図。
【図４】本発明によるガラス溶解炉の運転方法を実施することのできるガラス溶解炉の他の実施の形態を示す概略的断面図。
【図５】図４に示すガラス溶解炉を説明する概略的平面図。
【図６】図４に示すガラス溶解炉におけるバーナへの燃料供給系の一例を説明する概略図。
【図７】図４に示すガラス溶解炉におけるリバーンガス供給用のガスノズルと燃焼排気ガス流との関係を説明する図。
【符号の簡単な説明】
１，１ａ…ガラス溶解炉、１０…ガラス溶解室、１１，１２…ポート、１３，１４…蓄熱室、１５，１６…バーナ、４１，４２…リバーンガス供給用ガスノズル
【図１】
2004107139.tif 000004
【図２】
2004107139.tif 000005
【図３】
2004107139.tif 000006
【図４】
2004107139.tif 000007
【図５】
2004107139.tif 000008
【図６】
2004107139.tif 000009
【図７】
2004107139.tif 000010